(57)【要約】【課題】レジ係介在チェックアウトモードとセルフチェックアウトモードとの間で簡単に変更可能なチェックアウトカウンターを提供する。【解決手段】チェックアウトカウンターは、第１の位置と第２の位置との間で回転可能なターンテーブル、ターンテーブルに取り付けられ、第１の位置において第１の方向を向き、第２の位置において第２の方向を向くバーコードスキャナーを有する。【選択図】図３Ａ
2013131220.tif 000002
【特許請求の範囲】
【請求項１】
第１の位置と第２の位置との間で回転可能なターンテーブルと、
前記ターンテーブルに取り付けられ、前記第１の位置において第１の方向を向き、前記第２の位置において第２の方向を向くバーコードスキャナーと、
を有する、チェックアウトカウンター。
【請求項２】
ディスプレイを更に有し、前記ディスプレイは、前記ターンテーブルに取り付けられ、前記ディスプレイは、前記第１の位置に関して第１の方向を向き、前記第２の位置に関して第２の方向を向く、請求項１に記載のチェックアウトカウンター。
【請求項３】
クレジット／デビットカード・リーダーを更に有し、前記クレジット／デビットカード・リーダーは、前記ディスプレイの側面に取り付けられる、請求項２に記載のチェックアウトカウンター。
【請求項４】
手持ちバーコードスキャナーを更に有し、前記手持ちバーコードスキャナーは、前記ディスプレイの側面に取り付けられた受け台上に取り外し可能に設置される、請求項２に記載のチェックアウトカウンター。
【請求項５】
前記ディスプレイはタッチスクリーンを含む、請求項２に記載のチェックアウトカウンター。
【請求項６】
前記ターンテーブルは、180°の範囲内で回転する、請求項１に記載のチェックアウトカウンター。
【請求項７】
前記第1の位置と前記第2の位置は、実質的に180°離れている、請求項１に記載のチェックアウトカウンター。
【請求項８】
前記ターンテーブルが前記第１の位置にあるとき、チェックアウトカウンターは、レジ係介在チェックアウト用に構成され、
前記ターンテーブルが前記第２の位置にあるとき、チェックアウトカウンターは、セルフチェックアウト用に構成される、請求項１に記載のチェックアウトカウンター。
【請求項９】
スイッチを更に有し、前記スイッチは、前記ターンテーブルが前記第１の位置にあるとき、レジ係介在チェックアウトモードに切り替え、前記ターンテーブルが前記第２の位置にあるとき、セルフチェックアウトモードに切り替える、請求項１に記載のチェックアウトカウンター。
【請求項１０】
プロセッサを更に有し、前記プロセッサは、前記ターンテーブルが前記第１の位置にあるとき、レジ係介在ＰＯＳアプリケーションを読み込んで実行し、前記ターンテーブルが前記第２の位置にあるとき、セルフチェックアウトＰＯＳアプリケーションを読み込んで実行するよう構成される、請求項１に記載のチェックアウトカウンター。
【請求項１１】
前記バーコードスキャナーは、光学スキャナー、２面式光学スキャナー、及びイメージベーススキャナーの１つである、請求項１に記載のチェックアウトカウンター。
【請求項１２】
第１の位置と第２の位置との間で回転可能なターンテーブルと、
前記ターンテーブルが前記第１の位置にあるとき、レジ係介在チェックアウトモードでＰＯＳアプリケーションを実行し、前記ターンテーブルが前記第２の位置にあるとき、セルフチェックアウトモードでＰＯＳアプリケーションを実行するようプログラムされたプロセッサと、
を有する、チェックアウトシステム。
【請求項１３】
前記ターンテーブルが前記第１の位置にあるとき、前記レジ係介在チェックアウトモードで動作し、前記ターンテーブルが前記第２の位置にあるとき、前記セルフチェックアウトモードで動作する、請求項１２に記載のチェックアウトシステム。
【請求項１４】
バーコードスキャナーを更に有し、前記バーコードスキャナーは、前記ターンテーブルに取り付けられ、前記第１の位置に関して第１の方向を向き、前記第２の位置に関して第２の方向を向く、請求項１２に記載のチェックアウトシステム。
【請求項１５】
ディスプレイを更に有し、前記ディスプレイは、前記ターンテーブルに取り付けられ、前記ディスプレイは、前記第１の位置に関して第１の方向を向き、前記第２の位置に関して第２の方向を向く、請求項１２に記載のチェックアウトシステム。
【請求項１６】
クレジット／デビットカード・リーダーを更に有し、前記クレジット／デビットカード・リーダーは、前記ディスプレイの側面に取り付けられる、請求項１５に記載のチェックアウトシステム。
【請求項１７】
手持ちバーコードスキャナーを更に有し、前記手持ちバーコードスキャナーは、前記ディスプレイの側面に取り付けられた受け台上に取り外し可能に設置される、請求項１５に記載のチェックアウトシステム。
【請求項１８】
前記ターンテーブルは、180°の範囲内で回転する、請求項１２に記載のチェックアウトシステム。
【請求項１９】
スイッチを更に有し、前記スイッチは、前記ターンテーブルが前記第１の位置にあるとき、前記レジ係介在チェックアウトモードに切り替え、前記ターンテーブルが前記第２の位置にあるとき、前記セルフチェックアウトモードに切り替える、請求項１３に記載のチェックアウトシステム。
【請求項２０】
チェックアウトシステムを運用する方法であって、
前記チェックアウトシステムは、ターンテーブルと、ＰＯＳアプリケーションを実行するよう構成されたプロセッサとを有し、
前記方法は、
前記ターンテーブルを第１の位置に回転させたことに応答して、前記プロセッサが、レジ係介在チェックアウトモードで前記ＰＯＳアプリケーションを実行するステップと、
前記ターンテーブルを第２の位置に回転させたことに応答して、前記プロセッサが、セルフチェックアウトモードで前記ＰＯＳアプリケーションを実行するステップと、
を有する、方法。
【発明の詳細な説明】
【技術分野】
【０００１】
本発明は、一般的に、小売店のチェックアウトカウンター（checkout station）における装置と方法に関する。特に、本発明は、レジ係（cashier）モードとセルフチェックアウトモードとの間を、好都合に変更することが出来るチェックアウトカウンターに関する。
【背景技術】
【０００２】
小売店において、買い物客への販売は、通常、店舗内に置かれたチェックアウトカウンターで行われる。現状、店内での販売は、レジ係介在（cashier-assisted）チェックアウト又はセルフチェックアウトの形式で行われ、それぞれ、レジ係カウンター又はセルフチェックアウトカウンターで行われる。レジ係介在チェックアウトにおいて、買い物客はＰＯＳカウンターのコンベアベルト上に商品を置くことができる。コンベアベルトの受取り側付近に位置するレジ係は、商品を精算するため、バーコードスキャナーを用いて各品物をスキャンする。レジ係が買い物客の商品の精算を終えると、購入手続きを完了するため、買い物客は、レジ係側とは向かいとなるチェックアウトカウンター側を、支払いカウンターまで進む。これに対し、セルフチェックアウトでは、買い物客は、チェックアウトカウンターにおいて、自身で各品物をスキャンする。全ての商品が記録された後、続いて、買い物客は、支払いカウンターにおいて購入代金の支払いを行う。
【０００３】
レジ係介在チェックアウトの特定の外観は、セルフチェックアウトの外観と区別することができる。第１に、現在技術では、レジ係介在チェックアウトにおけるチェックアウトカウンターは、セルフチェックアウトにおけるチェックアウトカウンターと異なるように構成される。図１は、コンベアベルト１２、支払いカウンター１４、及び袋詰めカウンター１６を含むレジ係介在チェックアウトカウンター１０を示す。支払いカウンターは、更に、光学スキャナー１８などのバーコードスキャナー、ディスプレイスクリーン２０、クレジット／デビットカードの読取り／署名パッド２２、及び収納可能／取り外し可能なレジ係用引出し２４を有することができ、レジ係は、受領した現金、小切手（check）、及びクーポンをレジ係用引出しに収納できる。レジ係介在チェックアウトカウンター１０は、任意の小空間（recess）２６を設定することができ、ここでは、レジ係は、レジ係の背後のレーン２８における通行を邪魔することなく立つことができる。レジ係は、商品をスキャンすることに対する責任があるため、現在技術では、レジ係介在チェックアウトカウンター１０の光学スキャナー１８とディスプレイスクリーン２０は、レジ係の方に固定に向けられている。例えば、光学スキャナー１８は、水平スキャナー２８と垂直スキャナー３０を有する２面式光学（bi-optic）スキャナーとすることができ、これらは、レジ係に面するスキャニング空間を共に構成する。更に、ディスプレイスクリーン２０は、レジ係に面するタッチスクリーンとすることもできる。
【０００４】
一方、図２は、セルフチェックアウトカウンター３２を示し、同様に、コンベアベルト３４、支払いカウンター３６、及び袋詰めカウンター３８を有する。セルフチェックアウトカウンターの支払いカウンター３６は、光学スキャナー４０などのバーコードスキャナー、ディスプレイスクリーン４２、及びクレジット／デビットカードの読取り／署名パッド４４を有することができる。しかし、レジ係介在チェックアウトカウンター１０と異なり、セルフチェックアウトカウンター３２は、収納可能／取り外し可能なレジ係用引出し、又はレジ係が立つ小空間を有さない。更に、買い物客のみが、セルフチェックアウトカウンターにおいて、商品をスキャニングする主な責任を有するため、光学スキャナー４０及びディスプレイスクリーン４２は、１つの方向、即ち、セルフチェックアウトカウンター３２の買い物客側に固定的に向けられる。最後に、セルフチェックアウトカウンター３２は、特定のチェックアウトカウンターが「セルフチェックアウト（SELF-CHECKOUT）」として指定されていることを示す標識４６を有することができる。実際には、標識表示は、チェックアウトカウンターが運用中であるかどうかを示すためにオンとオフを切替えることができる電気サインとすることができる。
【０００５】
レジ係介在チェックアウトカウンターとセルフチェックアウトカウンターの物理的な構造の相違に加えて、レジ係介在チェックアウトカウンターとセルフチェックアウトカウンターは、通常、レジ係又は買い物客が使用するために具体的に設計された異なる販売時点情報管理（point-of-sale：ＰＯＳ）アプリケーションを実行するよう構成されている。レジ係用のＰＯＳシステムは、通常、レジ係がＰＯＳシステムの操作に経験があると想定されるため、効率性又は迅速処理に対して設計される。これに対し、セルフチェックアウトの買い物客用のＰＯＳシステムは、通常、買い物客がＰＯＳシステムの操作に余り経験がないと想定されるため、多くのプロンプト（prompt）及び有用なヒント（helpful hint）を備えた直感的な使用に対して設計される。更に、レジ係用ＰＯＳシステムは、商品の値段の入力やバーコードスキャンの上書きなどの特定の職権をレジ係に持たせることができる。これに対し、セルフチェックアウトにおけるＰＯＳシステムは、セルフチェックアウトの買い物客が許可されていない処理を実施しないように、厳正で、制限されたものとすることができる。セルフチェックアウトの買い物客は、何らかの特別に扱われる処理に対する代理として、お客様サービス（customer service）に連絡することが必要となる。
【発明の概要】
【発明が解決しようとする課題】
【０００６】
このため、現在、レジ係介在チェックアウトカウンターは、セルフチェックアウトカウンターと異なるように設計され、製造されている。レジ係介在チェックアウトカウンターは、セルフチェックアウトカウンターとは、異なる仕様を持ち、異なる要素を有している。レジ係介在チェックアウトカウンターとセルフチェックアウトカウンターとの間の異なる物理的構造は、所有者のコストを増加させる。第１に、店側は、チェックアウトカウンターの異なるモデルを購入するため、少量の数量割引しか受けることができない。第２に、単一タイプのチェックアウトカウンターより、異なるタイプのチェックアウトカウンターを維持する方がより費用がかかる。費用の問題に加え、レジ係介在チェックアウトカウンターとセルフチェックアウトカウンターは、通常、小売店内の重要な空間を占める。セルフチェックアウトカウンターは、通常、何時でも開いているのに対し、レジ係介在チェックアウトカウンターは、レジ係の空き状況により、時折、稼働しないことがある。稼働しないチェックアウトカウンターは、小売店の重要な空間を占めるが、精算の列の混雑を減らす役には立たない。
【０００７】
このため、レジ係介在チェックアウトモードとセルフチェックアウトモードとの間で簡単に変更されるチェックアウトカウンターに対する必要性が生じ、これにより、店側が、単一タイプのチェックアウトカウンターを所有することでの費用を節約し、無人のチェックアウトカウンターをセルフチェックアウトモードに変更することで、より効率的に運用できる。
【課題を解決するための手段】
【０００８】
本発明の実施例は、ディスプレイスクリーン及びバーコードスキャナーの表面方向（facing direction）を再方向付けすることにより、レジ係介在チェックアウトモードとセルフチェックアウトモードとの間で変更されるチェックアウトカウンターを有する。このため、チェックアウトカウンターは、ディスプレイスクリーン、及び／又はバーコードスキャナーの第１の方向において、レジ係介在チェックアウトカウンターとして動作し、ディスプレイスクリーン、及び／又はバーコードスキャナーの第２の方向において、セルフチェックアウトカウンターとして動作することができる。
【０００９】
本発明の実施例は、第１の位置と第２の位置との間で回転可能なターンテーブル、及びターンテーブルに取り付けられ、第１の位置において第１の方向を向き、第２の位置において第２の方向を向くバーコードスキャナーを含むチェックアウトカウンターを有することができる。
【００１０】
本発明の実施例は、第１の位置と第２の位置との間で回転可能なターンテーブル、及びターンテーブルが第１の位置にあるとき、レジ係介在チェックアウトモードでＰＯＳアプリケーションを実行し、ターンテーブルが第２の位置にあるとき、セルフチェックアウトモードでＰＯＳアプリケーションを実行するようプログラムされたプロセッサを含むチェックアウトシステムを有することができる。
【図面の簡単な説明】
【００１１】
【図１】レジ係介在チェックアウトカウンターを説明する図である。
【図２】セルフチェックアウトカウンターを説明する図である。
【図３Ａ】本発明の１つの実施例によるチェックアウトカウンターを説明する図である。
【図３Ｂ】本発明の１つの実施例によるチェックアウトカウンターを説明する図である。
【図４Ａ】本発明のその他の実施例によるチェックアウトカウンターを説明する図である。
【図４Ｂ】本発明のその他の実施例によるチェックアウトカウンターを説明する図である。
【図５】本発明の１つの実施例によるチェックアウトカウンターを使用するための処理を説明する図である。
【図６】本発明の１つの実施例によるチェックアウトカウンターに対するシステムを説明する図である。
【発明を実施するための形態】
【００１２】
図３Ａ及び３Ｂは、本発明の１つの実施例によるチェックアウトカウンターを示し、図３Ａは、チェックアウトカウンターの第１のレジ係介在チェックアウトモードを示し、図３Ｂは、チェックアウトカウンターの第２のセルフチェックアウトモードを示す。明確にするため、以下に示す図３Ａ及び図３Ｂは、チェックアウトカウンターの支払いカウンターに焦点を合わせ、コンベアベルト及び袋詰めカウンターを省略する。図３Ａを参照すると、チェックアウトカウンターは、基本台（base platform）４８を有し、基本台４８は、その上部表面内に凹部（hollow）５０を有することができる。好適な実施例において、凹部５０は、円形とすることができる。
【００１３】
凹部５０内で、チェックアウトカウンターは、回転可能な硬い（solid）表面を持つターンテーブル５２を有することができ、ターンテーブル５２の硬い表面上には、ディスプレイスクリーン５６が固定的に取り付けられる。１つの実施例において、ターンテーブル５２は、基本台４８の上部表面と同一の材料から作ることができる。その他の実施例において、ターンテーブル５２は、基本台４８の上部表面と異なる材料から作製することができる。好適な実施例において、ターンテーブル５２の上部表面は、円形であり、凹部５０に適合することができる。更に、ターンテーブル５２の硬い表面は、ガラスなどの透明な材質でカバーされた開口５４を有することができる。１つの実施例において、単一光学スキャナーなどのバーコードスキャナー５８は、開口５４（及び透明材質）の下で、ターンテーブルに取り付けることができる。ディスプレイスクリーン５６及び開口５４を通したバーコードスキャナー５８は、基本台４８の第１の側面に位置するレジ係が、容易に商品をスキャンし、ディスプレイスクリーン５６上で操作できるような方向で、ターンテーブル５２に取り付けられる。その他の実施例において、２面式光学スキャナーをターンテーブル５２に取り付けることができ、ターンテーブル５２の上部表面の下の第１のスキャナーと、上部表面上に垂直に備えられた第２のスキャナーを有する。更にその他の実施例において、光学スキャナーに代わり、撮像装置（imager）を用いることができる。
【００１４】
ディスプレイスクリーン５６及びバーコードスキャナー５８は、ターンテーブル５２に固定して取り付けられているため、ディスプレイスクリーン５６及びバーコードスキャナー５８の向きは、ターンテーブル５２の回転に従い変化する。１つの実施例において、ターンテーブル５２は、第１の方向に向いている第１の位置と第２の方向に向いている第２の位置との間で、行ったり来たりと回転することができる。１つの好適な実施例において、第１の方向は、レジ係が立つ第１の側面に向かい方向付けられ、第２の方向は、買い物客が立つ第２の側面に向かい方向付けられる。買い物客とレジ係は、基本台４８の反対側面に位置するため、ターンテーブル５２の第１の位置と第２の位置は、およそ180°離れる。図３Ａは、第１の位置におけるターンテーブル５２を示し、これによれば、チェックアウトカウンターは、レジ係介在モードで動作し、一方、図３Ｂは、第２の位置におけるターンテーブル５２を示し、これによれば、チェックアウトカウンターは、セルフチェックアウトモードで動作する。ターンテーブル５２の回転のため、チェックアウトカウンターは、レジ係介在モードとセルフチェックアウトモードとの間で容易に変更できる。
【００１５】
１つの実施例において、基本台４８は、ターンテーブル５２を第１の位置又は第２の位置に固定するための固定部（latch）６２を有することができる。操作者により操作可能な解放部（release）６０は、固定部６２への制御ケーブル（図示なし）を介して、固定部６２の固定と解放を制御することができ、これにより、ターンテーブル５２は、第１の位置若しくは第２の位置に固定され、又は第１の位置と第２の位置との間で回転するよう解放される。解放部６０は、操作者により簡単に操作可能な位置に設置することができる。例えば、解放部は、図３Ａに示される基本台の側面表面上に設置することができる。基本台４８内において、ターンテーブル５２は、支持部（support）（図示なし）により支持することができる。例えば、１つの実施例において、支持部は、ターンテーブル５２を回転させるベアリングを含む円筒形の柱状物とすることができる。更に、ディスプレイスクリーン５６及びバーコードスキャナー５８は、基本台４８の上部表面の下、及び基本台４８の内部において、信号線（wire）を介して配線することもできる。これら信号線は、ターンテーブル５２が前後に回転する際に絡まないよう配置される。
【００１６】
更に、チェックアウトカウンターは、その他の要素を有することができる。図４Ａ及び４Ｂは、本発明のその他の実施例に従うチェックアウトカウンターを示し、図４Ａはチェックアウトカウンターの第１のレジ係介在チェックアウトモードを示し、図４Ｂは、チェックアウトカウンターの第２のセルフチェックアウトモードを示す。図３Ａ及び３Ｂに示される要素に加え、チェックアウトカウンターは、チェックアウトカウンターの第１のレジ係側に配置されるオプションのレジ係用引出し６４を更に有することができる。更に、チェックアウトカウンターは、ターンテーブル５２上に設置され、ターンテーブル５２と共に回転可能なクレジット／デビットカード・リーダー６６を有することができる。１つの実施例において、クレジット／デビットカード・リーダー６６が、ディスプレイスクリーン５６及びバーコードスキャナー５８と共に回転できるよう、クレジット／デビットカード・リーダー６６は、ディスプレイスクリーン５６に固定的かつ取り外し可能に取り付けることができる。更に、チェックアウトカウンターは、ターンテーブル５２の上、又はターンテーブル５２から離して設置することができる付属の手持ちバーコードスキャナー６８を有することができる。１つの実施例において、手持ちバーコードスキャナー６８が、ディスプレイスクリーン５６と共に回転できるよう、手持ちバーコードスキャナー６８は、ディスプレイスクリーン５６に固定的かつ取り外し可能に取り付けることができる。その他の実施例において、手持ちバーコードスキャナー６８が、ターンテーブル５２と共に回転しないよう、手持ちバーコードスキャナー６８は、基本台の上部表面上に（ターンテーブル５２から離して）設置することができる。更に、チェックアウトカウンターは、チェックアウトカウンターがレジ係介在モード又はセルフチェックアウトモードで動作しているかを示す電子表示７０を有することができる。
【００１７】
チェックアウトカウンターは、第１のモードと第２のモードとの間を切り替えるためのトリガーを更に有することができる。１つの実施例において、チェックアウトカウンターは、チェックアウトカウンターをレジ係介在モード又はセルフチェックアウトモードに切り替えることができる物理スイッチ７２を有することができる。その他の実施例において、ターンテーブル５２が第１の位置に固定されているとき、トリガーはチェックアウトカウンターをレジ係介在モードで動作させることができ、ターンテーブル５２が第２の位置に固定されているとき、トリガーはチェックアウトカウンターをセルフチェックアウトモードで動作させることができるように、トリガー（図示なし）を固定部６２により自動的に設定することができる。
【００１８】
図５は、本発明の実施例に従い、チェックアウトカウンターを使用するための処理を示す。７４において、転換可能なチェックアウトカウンターのターンテーブルは、操作者により解除することができる。７６において、バーコードスキャナー及びディスプレイスクリーンの向きを第１の方向から第２の方向に変更できるよう、ターンテーブルが第１の位置から第２の位置に回転する。例えば、ターンテーブルは、レジ係が使用するための第１モードからセルフチェックアウトのための第２モードに回転することができ、また逆とすることもできる。７８において、トリガーを掛ける（engage）ことができる。プロセッサは、トリガーが、操作のセルフチェックアウトモード又はレジ係介在モードの開始を示しているかどうかを決定するよう構成される。８０において、操作がセルフチェックアウトモードに対するものである場合、プロセッサは、メモリからセルフチェックアウトＰＯＳアプリケーションをロードするよう構成される。８４において、プロセッサは、セルフチェックアウトＰＯＳアプリケーションを実行するよう構成される。セルフチェックアウトＰＯＳアプリケーションの実行は、ディスプレイスクリーン上で、買い物客用に設計されたグラフィックユーザインタフェース（ＧＵＩ）を含むことができる。８２において、プロセッサは、チェックアウトカウンターがセルフチェックアウト用であることを示すため、電子表示をオンとするための信号を送信することもできる。これに対し、８６において、操作がレジ係介在チェックアウトに対するものである場合、プロセッサは、メモリからレジ係介在ＰＯＳアプリケーションをロードするよう構成される。８８において、プロセッサは、レジ係介在ＰＯＳアプリケーションを実行するよう構成される。レジ係介在ＰＯＳアプリケーションの実行は、ディスプレイスクリーン上で、レジ係用に設計されたグラフィックユーザインタフェース（ＧＵＩ）を含むことができる。
【００１９】
図６は、本発明の実施例に従うチェックアウトカウンターにおけるシステムを示す。図６に示されるように、ＰＯＳシステム９０は、図３Ａ、３Ｂ、４Ａ、４Ｂに示されるようなバーコードスキャナー５８（単一光学スキャナー、２面式光学スキャナー、撮像装置（imager）、及び／又は手持ち式スキャナーを含む）、ディスプレイスクリーン５６、及びクレジット／デビット・リーダ６６と通信可能に接続されるプロセッサ９２を有することができる。更に、プロセッサ９２は、ローカルエリアネットワーク（ＬＡＮ）を介してデータベース９４と接続することができ、ここでは、全商品に関連するデータを格納することができる。更に、プロセッサ９２は、ワイドエリアネットワーク（ＷＡＮ）に接続することができ、プロセッサ９２は、ＷＡＮを介して銀行９６及びクレジットカード発行会社９８に接続され、これにより、買い物客は、勘定の現地承認（onsite approval）を受けることができる。
【００２０】
買い物客のチェックアウトの際、買い物客は、購入したい商品をチェックアウトカウンターまで持ってくる。それぞれの商品は、既にバーコードと関連付けられている。例えば、バーコードは、商品に付けられたラベル上に印刷される。更に、買い物客は、（メンバーのみクラブの店において）店が発行するメンバーカード又はディスカウントカードを有することができ、これらカードは、買い物客を買い物客の口座（account）と関連付けるためのバーコード認証を有することもできる。更に、買い物客は、セール販売に割引を適用するためのバーコードも含んでいるクーポンを有することができる。（レジ係介在モードでの）レジ係、又は（セルフチェックアウトモードでの）買い物客は、買い物客の本人確認を行い、それをデータベース９４に格納されている現在の口座と関連付けるために、メンバーカード又はディスカウントカードをスキャンすることにより、商取引を開始することができる。続いて、レジ係／買い物客は、買い物客により購入されることになるそれぞれの商品をスキャンする。バーコードスキャナー５８は、操作者の方に向いているため、バーコードは、都合良く読み取られる。読み取られたバーコードは、プロセッサ９２に送られ、プロセッサ９２は、チェックアウトされる品物として、バーコードに対応する商品をリスト内に記録するよう構成される。レジ係／買い物客が、買い物客の品物の全てをスキャンした後、レジ係／買い物客は、最終的な購入金額に対する更なる割引のため、買い物客のクーポンをスキャンすることができる。最終的な購入金額に対する全品物及び割引を計算した後、買い物客は、現金、又はデビット／クレジット・リーダー６６を通したデビット／クレジットカードなどの現金相当物を用いて、購入の支払いをすることができる。ＰＯＳシステム９０は、買い物客にレシートを発行し、チェックアウトされた商品を在庫データベースに組み込むことで、取引を完了できる。
【００２１】
これらの当業者は、上記の記載から、本発明が様々な形式で実行され、様々な実施例が単独で又は組み合わせて実行されることを理解することができる。従って、本発明の実施例が、その特定の例と関連付けて記載されている一方、その他の変更は、図面及び明細書を検討することにより、当業者には明らかになるであろうから、本発明の実施例、及び／又は方法の本来の範囲は、これに制限されるべきではない。
【図１】
2013131220.tif 000003
【図２】
2013131220.tif 000004
【図３Ａ】
2013131220.tif 000005
【図３Ｂ】
2013131220.tif 000006
【図４Ａ】
2013131220.tif 000007
【図４Ｂ】
2013131220.tif 000008
【図５】
2013131220.tif 000009
【図６】
2013131220.tif 000010
【外国語明細書】
2013131220000001.pdf